(57)【要約】【課題】      擬似ＩＲ信号でマルチマスターディバイスをコントロールする装置および方法を提供すること。【解決手段】  マスターディバイスをマスターモジュールに設定し、他を擬似スレーブモジュールに設定し、マスターモジュールがＩＲ信号を受信しデコードし、ＩＲ信号が前記ディバイスをコントロールするのに利用されるかを確認する。ＩＲ信号からデコードされた信号がマスターしモジュールをコントロールするのに利用されている場合、本発明は、その信号を利用してマスターモジュールをコントロールする。また、ＩＲ信号からデコードされた信号が擬似スレーブモジュールをコントロールするのに利用されている場合、本発明は、擬似ＩＲ信号を生成してＩＲ信号を擬似スレーブモジュールに送信し、擬似スレーブモジュールの作動をコントロールする。【選択図】    図１
2005086813.tif 000002
【特許請求の範囲】
【請求項１】
ＩＲ信号を受信する第一ＩＲ信号受信ユニットと、ＩＲ信号をデコードしてＩＲ信号をコントロール信号にうつす第一デコーディングモジュールと、コントロール信号を分析してコントロール信号がマスターモジュールをコントロールされるか、そうでない場合は擬似ＩＲ信号を生成し送信することを確認する、第一コントロールユニットとを持つ、マスターモジュールと、
擬似ＩＲ信号を受信する第二ＩＲ信号受信ユニットと、ＩＲ信号をデコードしてＩＲ信号を他のコントロール信号にうつす第二デコーディングモジュールと、他のコントロール信号を分析して擬似スレーブモジュールをコントロールする第二コントロールユニットとを持つ、擬似スレーブモジュールとを有する、
リモートコントロールで発せられるＩＲ信号によってコントロールされ、擬似ＩＲ信号でマルチマスターディバイスをコントロールする装置。
【請求項２】
マスターモジュールが液晶ディスプレイテレビであることを特徴とする、
請求項１に記載の装置。
【請求項３】
マスターモジュールがＤＶＤプレイヤーであることを特徴とする、
請求項１に記載の装置。
【請求項４】
擬似スレーブモジュールが液晶ディスプレイテレビであることを特徴とする、
請求項１に記載の装置。
【請求項５】
擬似スレーブモジュールがＤＶＤプレイヤーであることを特徴とする、
請求項１に記載の装置。
【請求項６】
ＩＲ信号を受信し、
ＩＲ信号をデコードし、
ＩＲ信号が擬似スレーブモジュールをコントロールするのに利用されているかを確認し、
擬似ＩＲ信号を生成し、
擬似ＩＲ信号を擬似スレーブモジュールに送信し、
擬似ＩＲ信号をデコードし、
擬似ＩＲ信号をコントロール信号にうつし、
擬似スレーブモジュールをコントロール信号によってコントロールし、
コントロールユニットによって、マスターモジュールと擬似スレーブモジュールとをコントロールする、
擬似ＩＲ信号でマルチマスターディバイスをコントロールする方法。
【請求項７】
ＩＲ信号が擬似スレーブモジュールをコントロールするのに利用されているかを確認する場合、ＩＲ信号が擬似スレーブモジュールをコントロールするのに利用されていないことを確認した場合、ＩＲ信号を他のコントロール信号にうつしてマスターモジュールをコントロールすることを特徴とする
請求項６に記載の方法。
【請求項８】
マスターモジュールと、
擬似スレーブモジュールと、
ＩＲ信号を受信する、ＩＲ信号受信ユニットと、
ＩＲ信号をデコードしてＩＲ信号をコントロール信号にうつす、デコーディングモジュールと、
コントロール信号がマスターモジュールまたは擬似スレーブモジュールをコントロールするのに利用され、コントロール信号がマスターモジュールに送信するか擬似ＩＲ信号を擬似スレーブモジュールの生成するかを選択的に行い、マスターモジュールまたは擬似スレーブモジュールをコントロールすることを確認する、識別ユニットとを有する、
リモートコントロールで発せられるＩＲ信号によってコントロールされ、擬似ＩＲ信号でマルチマスターディバイスをコントロールする装置。
【請求項９】
マスターモジュールが液晶ディスプレイテレビであることを特徴とする、
請求項８に記載の装置。
【請求項１０】
マスターモジュールがＤＶＤプレイヤーであることを特徴とする、
請求項８に記載の装置。
【請求項１１】
擬似スレーブモジュールが液晶ディスプレイテレビであることを特徴とする、
請求項８に記載の装置。
【請求項１２】
擬似スレーブモジュールがＤＶＤプレイヤーであることを特徴とする、
請求項８に記載の装置。
【請求項１３】
ＩＲ信号を受信し、
ＩＲ信号をデコードし、
ＩＲ信号をコントロール信号にうつし、
ＩＲ信号がマスターモジュールまたは擬似スレーブモジュールをコントロールするのに利用されているかを確認し、
コントロール信号をマスターモジュールに送信するか擬似ＩＲ信号を擬似スレーブモジュールに生成するかを選択的に行い、マスターモジュールまたは擬似スレーブモジュールをコントロールし、
識別ユニットでマスターモジュールと擬似スレーブモジュールとをコントロールする、
擬似ＩＲ信号でマルチマスターディバイスをコントロールする方法。
【発明の詳細な説明】
【技術分野】
【０００１】
本発明は、マルチマスターディバイスを制御する装置及び方法に関するものであり、具体的には、擬似ＩＲ信号で以ってマルチマスターディバイスを制御する装置と方法に関するものである。
【背景技術】
【０００２】
テレビに関する技術は、約１００年もの間発展し続けてきた。画像はモノクロテレビからカラーテレビに移り、音質はモノクロからステレオに移り、これらの進化過程は、技術の目覚しい発展があった結果である。
【０００３】
数多く存在するブラウン管（ＣＲＴ）利点と低製造コストのために、数十年もの間この表示及びテレビ市場を殆ど独占してきた。様々な情報関連製品に対する要求に答えるために、フラットパネルディスプレイ（ＦＰＤ）の需要が急速に増加している。グローバルマーケットにおける情報関連製品のトレンドは、その製品の小型化と省電力化ということにあり、徐々にＦＰＤがＣＲＴと変わりつつある。
【０００４】
液晶ディスプレイテレビ（ＬＣＤ  ＴＶ）の技術が比較的成熟しつつある。このＬＣＤ ＴＶには、電力消費や汚染が少なく、比較的小型であり、環境保護的にも放射線を出さない等の利点がある。従って、ＬＣＤ  ＴＶは、テレビ産業において大変普及しており、家庭電化製品マーケットを浸透しつつある。
【０００５】
デジタルビデオディスク（ＤＶＤ）プレイヤーは、ＤＶＤを再生するディバイスである。ＤＶＤは、ＭＰＥＧ２圧縮方式でデータを保存することによって、小スペースで大容量のデータを１２インチのレーザーディスクに保存することが可能である。このＤＶＤ製造技術が発達し、価格が受け入れられるものとなったので、ＤＶＤプレイヤーマーケットは徐々に成長してきた。
【０００６】
図１は、ＬＣＤ  ＴＶ１０とＤＶＤプレイヤー２０に関わる従来の制御を示すものである。ＬＣＤ  ＴＶ１０とＤＶＤプレイヤー２０のリモートコントロール１１，１２は、製造工程においてマスターモジュールとして設定されているので、ＬＣＤ  ＴＶ１０とＤＶＤプレイヤー２０を作動するには、２つの異なったインターフェイスをコントロールするために、２つの異なったリモートコントロール１１，１２が必要である。
【０００７】
リモートコントロール１１，１２によって発せられたＩＲ信号は、それぞれＩＲ信号受信ユニット１２，２２によって受信される。デコーディングモジュール１４，２４は、ＩＲ信号をデコードし、ＩＲ信号をＩ2ＣインターフェイスにうつしてＬＣＤ  ＴＶシステム１３とＤＶＤプレイヤーシステム２３とを夫々コントロールする。
【０００８】
従って、消費者はこれらのディバイスを購入してＤＶＤプレイヤー２０で映画を楽しむ場合、ＤＶＤプレイヤー２０の出力ポートとＬＣＤ ＴＶ１０の入力ポートとを接続する必要がある。
【発明の開示】
【発明が解決しようとする課題】
【０００９】
しかし、消費者が送信ライン（例えば入力ポートまたは出力ポートとを接続する送信ライン）の接続方法をマニュアルを読んだだけでは理解できなかったとしたら、ＬＣＤ  ＴＶとＤＶＤプレイやーとの送信ライン接続作業に多くの時間と労力を費やした後ですら、ＤＶＤプレイヤーのＬＣＤ  ＴＶで映画を観ることはできない。
【課題を解決するための手段】
【００１０】
上記の問題を解決するために、本発明は、擬似ＩＲ信号を利用してマルチマスターディバスを制御する装置と方法を提供するものである。本発明のゴールは、ＬＣＤ  ＴＶとＤＶＤプレイヤーの一方をマスターモジュールとして設定し、他方を擬似スレーブモジュールとして設定することである。マスターモジュールは、ＩＲ信号を受信し、マスターモジュールのコーディングユニットが、ＩＲ信号をデコードして、ＩＲ信号をコントロール信号にうつす(transfer)。そして、コントロールユニットが、コントロール信号を分析して、ＩＲ信号がマスターモジュールまたは擬似スレーブモードをコントロールするのに利用されていることを確認する。
【００１１】
コントロール信号が、マスターモジュールの機能をコントロールしていた場合、本装置は、コントロール信号をマスターモジュールのコントロールユニットに送り、マスターモジュールの作動をコントロールする。
【００１２】
また、もしコントロール信号が擬似スレーブモジュールをコントロールするのに利用されている場合、本装置は擬似ＩＲ信号をオリジナルコントロール信号に基づいて生成して、擬似ＩＲ信号を擬似スレーブモジュールに送り、擬似スレーブモジュールの作動をコントロールする。
【００１３】
以下に、ＬＣＤ  ＴＶをマスターモジュールとし、ＤＶＤプレイヤーを擬似スレーブモジュールに設定した場合の装置とその方法について説明する。
【００１４】
ＬＣＤ  ＴＶをマスターモジュールに設定するので、ＬＣＤ  ＴＶのＩＲ信号受信ユニットは、リモートコントロールで発信したＩＲ信号を受信する。そして、でコーディングユニットが、ＩＲ信号をデコードし、ＩＲ信号を分析する。これはＬＣＤ ＴＶまたはＤＶＤプレイヤーをコントロールするのに利用される。
【００１５】
ＩＲ信号がＬＣＤ ＴＶの機能、例えば画質調整、ボリューム、多言語設定等の機能をコントロールするのに利用される場合、本装置は、ＩＲ信号をコントロール信号にうつし、コントロール信号をＬＣＤ  ＴＶのコントロールユニットに送信し、ＬＣＤ  ＴＶのイメージ出力をコントロールする。
【００１６】
その反面、もしＩＲ信号がＤＶＤプレイヤーの機能、例えば再生、一時停止、停止等の機能に利用されたとした場合、マスターモジュールのコントロールユニットは、擬似ＩＲ信号を生成し、擬似ＩＲ信号をＤＶＤプレイヤーに送信する。そして、ＤＶＤプレイヤーのＩＲ信号受信ユニットが、擬似ＩＲ信号を受信し、ＤＶＤプレイヤーの異なった機能を実行する。
【００１７】
一つのリモートコントロールを利用して上述のマルチマスターディバイスの作動を制御するのに加え、ＩＲ信号受信ユニット、デコーディングユニット、識別ユニットを設定することも可能である。ＩＲ信号受信ユニットは、ＩＲ信号を受信し、デコーディングユニットはＩＲ信号をデコードする。最後に、識別ユニットは、コントロール信号がマスターモジュールまたは擬似スレーブモジュールをコントロールするのに利用されていることを確認する。
【００１８】
識別ユニットは、オリジナルＩＲ信号に基づいて擬似ＩＲ信号を生成し、擬似ＩＲ信号をＬＣＤ  ＴＶ又はＤＶＤプレイヤーに選択的に送信して作動を制御する。
【００１９】
擬似ＩＲ信号でマルチマスターディバイスをコントロールする装置にいて、ＬＣＤ  ＴＶ機能又はＤＶＤプレイヤー機能を同時に利用することが可能である。従って、ＬＣＤ  ＴＶとＤＶＤプレイヤーが別々であった場合に必要とされていたスペースを節約することが出来、ＬＣＤ ＴＶまたはＤＶＤプレイヤーとをつなげる送信ラインの接続方法で混乱するといった問題も取り除くこととなる。本装置は、非常に便利性に富んだものである。
【発明を実施するための最良の形態】
【００２０】
本発明のスコープは、以下の詳細な説明よりより明らかなものとなる。しかし、詳細な説明と実施例は、本発明の好適な例を説明するものだけであり、本発明の詳細な説明から、本発明の精神とスコープを逸脱せずに、様々な変更は変形が当業者にとって可能であることを理解されたい。
【００２１】
図２には、本発明の第一実施例が示され、そこには擬似ＩＲ信号３０を利用したマルチマスターディバイスの制御装置が開示されている。この第一実施例においては、ＬＣＤ  ＴＶまたはＤＶＤプレイヤーのコンビネーションを例として説明する。勿論、上記の擬似ＩＲ信号を利用してマルチマスターディバイスを制御する装置及び方法は、二つ以上のマスターディバイスの組み合わせにも利用することが出来る。
【００２２】
ＬＣＤ  ＴＶをマスターモジュール３１に設定して、ＤＶＤプレイヤーを擬似スレーブモジュール３２に設定することによって、シングルリモートコントロール４０を利用して、マスターモジュール３１または擬似スレーブモジュール３２をコントロールすることが出来る。
【００２３】
マスターモジュール３１は、第一ＩＲ信号受信ユニット３１１と、第一デコーディングモジュール３１２と、第一コントロールユニット３１３とを有する。擬似スレーブモジュール３２は、第二ＩＲ信号受信ユニット３２１と、第二デコーディングモジュール３２２と、第二コントロールユニット３２３とを有する。
【００２４】
マスターモジュール３１の第一ＩＲ信号受信ユニット３１１は、リモートコントロール４０から発せられたＩＲ信号を受信する。そして、第一ＩＲ信号受信ユニット３１１は、ＩＲ信号を第一デコーディングモジュール３１２に送信し、ＩＲ信号をデコードし、ＩＲ信号をコントロール信号にうつす。
【００２５】
次に、第一でコーディングモジュール３１２は、コントロール信号を第一コントロールユニット３１３に送信し、第一コントロールユニット３１３が、コントロール信号を分析して、コントロール信号がマスターモジュール３１か擬似スレーブモジュール３２かをコントロールするのに利用されていることを確認する。
【００２６】
コントロール信号がマスターモジュール３１をコントロールする場合、本発明の装置は、コントロール信号をマスターモジュールの第一コントロールユニット３１３に送り、マスターモジュール３１の作動をコントロールする。
【００２７】
また、コントロール信号が擬似スレーブモジュール３２の作動または設定をコントロールするのに利用される場合、第一コントロールユニット３１３は、オリジナルコントロール信号に基づき擬似ＩＲ信号を生成して、擬似ＩＲ信号を擬似スレーブモジュール３２の第二ＩＲ信号受信ユニット３２１に送信する。
【００２８】
その後、第二ＩＲ信号受信ユニット３２１は、擬似ＩＲ信号を第二デコーディングモジュール３２２に送信し、擬似ＩＲ信号をデコードし、擬似ＩＲ信号をコントロール信号にうつす。そして、第二でコーディングモジュール３２２が、コントロール信号を第二コントロールユニット３２３に送信して、擬似スレーブモジュール３２の機能をコントロールする。
【００２９】
このように、シングルリモートコントロール４０を利用して、擬似ＩＲ信号３０でマルチマスターディバイスをコントロールする装置における、マスターモジュール３１（ＬＣＤ  ＴＶ）と擬似スレーブモジュール３２（ＤＶＤプレイヤー）とをコントロールすることができる。ＬＣＤ  ＴＶ１０とＤＶＤプレイヤー２０とを異なったリモートコントロール１１，２１でコントロールする必要がなく、この装置は作動／操作の便利性を向上させるものである。
【００３０】
図３は、本発明の擬似ＩＲ信号でマルチマスターディバイスをコントロールする方法に関する第一実施例のフローチャートである。マスターモジュール３１の第一コントロールユニット３１３を利用してコントロール信号を分析することによって、コントロール信号がマスターモジュール３１または擬似スレーブモジュール３２をコントロールするのり利用されていることを確認する。そして、第一コントロールユニット３１３は、コントロール信号に基づき、コントロール信号をマスターモジュール３１か擬似スレーブモジュール３２に選択的に送信し、マスターモジュール３１または擬似スレーブモジュール３２をコントロールする。図２には、そのシステムの作動構造が説明されている。
【００３１】
まず、第一ＩＲ信号受信ユニットは、リモートコントロールから発せられたＩＲ信号を受信する（ステップ５０）。そして、第一デコーディングモジュールは、ＩＲ信号をデコードし（ステップ５１）、ＩＲ信号をコントロール信号にうつす。第一コントロールユニットは、コントロール信号を分析して、コントロール信号が擬似スレーブモジュールをコントロールするのに利用されているかを確認する（ステップ５２）。
【００３２】
その後、第一コントロールユニットが、擬似ＩＲ信号を生成し（ステップ５３）、擬似ＩＲ信号を擬似スレーブモジュールに送信する（ステップ５４）。第二ＩＲ信号受信ユニット３２１は、擬似ＩＲ信号を受信する。
【００３３】
第二デコーディングモジュールは、擬似ＩＲ信号を出コードし、擬似ＩＲ信号をコントロール信号にうつす（ステップ５５）。そして、擬似スレーブモジュールの作動が、コントロール信号によってコントロールされる（ステップ５６）。
【００３４】
第一コントロールユニットがコントロール信号を分析し、コントロール信号がステップ５２にあるようにマスターモジュールをコントロールするのに利用される場合、第一コントロールユニットは、ＩＲ信号を他のコントロール信号にうつして、マスターモジュールをコントロールする（ステップ５７）。
【００３５】
本発明の擬似ＩＲ信号でマルチマスターディバイスをコントロールする装置の第一実施例において、ＬＣＤ  ＴＶをマスターモジュール３１に、そしてＤＶＤプレイヤーを擬似スレーブモジュール３２に設定できる。本装置の作動は、シングルリモートコントロール４０でコントロールが可能である。
【００３６】
しかし、この関係を逆転させ、ＤＶＤプレイヤーをマスターモジュール３１としＬＣＤ  ＴＶを擬似スレーブモジュール３２と設定することも可能である。ＤＶＤプレイヤーのＩＲ信号受信ユニットは、ＩＲ信号を受信し、ＩＲ信号を擬似ＩＲ信号に選択的にうつし、ＬＣＤ  ＴＶの表示をコントロールする。また、第一実施例を利用して、複数のマスターディバイスを一つの装置として利用し、擬似ＩＲ信号でマルチマスター装置をコントロールし、シングルリモートコントロールで作動する装置とすることも可能である。原理的には第一実施例と似ているのでこの実施例に関する詳細な説明は省略する。
【００３７】
図４は、本発明の擬似ＩＲ信号３０を利用してマルチマスターディバイスをコントロールする装置の第二実施例を示すものである。この擬似ＩＲ信号３０を利用してマルチマスターディバイスをコントロールする装置は、ＩＲ信号受信ユニット６１と、デコーディングモジュール６２と、識別ユニット６３と、マスターモジュール７０と、擬似スレーブモジュール８０とを含むものである。
【００３８】
ＩＲ信号受信ユニット６１は、リモートコントロール４０で発信したＩＲ信号を受信する。そして、デコーディングモジュール６２がＩＲ信号をデコードし、ＩＲ信号をコントロール信号にうつす。最後に、識別ユニット６３は、コントロール信号が、マスターモジュール７０または擬似スレーブモジュール８０をコントロールするのに利用されているかを確認する。そして、識別ユニット６３は、擬似ＩＲ信号をコントロール信号に基づいて生成し、コントロール信号をマスターモジュール７０または擬似スレーブモジュール８０に送信し、マスターモジュール７０と擬似スレーブモジュール８０の作動をコントロールするものである。
【００３９】
図５は、本発明の擬似ＩＲ信号を利用してマルチマスターディバイスをコントロールする方法に関する第一実施例のフローチャートが示されている。図４には、本システムの作動機構が説明されている。
【００４０】
まず、ＩＲ信号受信ユニットがリモートコントロールから発信したＩＲ信号を受信する（ステップ９０）。そして、デコーディングモジュールが、ＩＲ信号をデコードし、ＩＲ信号をコントロール信号にうつす（ステップ９１）。
【００４１】
その後、識別ユニットは、コントロール信号が、マスターモジュールまたは擬似スレーブモジュールをコントロールするのに利用されていることを確認する（ステップ９２）。最後に、識別ユニットは、擬似ＩＲ信号をコントロール信号に基づき生成し、コントロール信号をマスターモジュールまたは擬似スレーブモジュールに選択的に送信し、マスターモジュールまたは擬似スレーブモジュールの作動をコントロールする（ステップ９３）。
【００４２】
これまで説明した本発明には、様々な自明な変更が考えられる。そのような変更は、本発明の精神とスコープとから逸脱するものではなく、そのような変形は、当業者にとっては自明なものであり、また当業者にとって明らかなように、記載された請求の範囲のスコープの内に属すようにドラフトされている。
【図面の簡単な説明】
【００４３】
【図１】ＬＣＤ  ＴＶとＤＶＤプレイヤーの従来形式のコントロールを示す図。
【図２】本発明の擬似ＩＲ信号を利用してマルチマスターディバイスをコントロールする装置の第一実施例におけるシステム構成を説明する図。
【図３】本発明の擬似ＩＲ信号を利用してマルチマスターディバイスをコントロールする装置の第一実施例を説明するフローチャート。
【図４】本発明の擬似ＩＲ信号を利用してマルチマスターディバイスをコントロールする装置の第二実施例におけるシステム構成を説明する図。
【図５】本発明の擬似ＩＲ信号を利用してマルチマスターディバイスをコントロールする装置の第二実施例を説明するフローチャート。
【図１】
2005086813.tif 000003
【図２】
2005086813.tif 000004
【図３】
2005086813.tif 000005
【図４】
2005086813.tif 000006
【図５】
2005086813.tif 000007